(57)【要約】【課題】使用者の意図した時間帯で、燃油の補給を行えるようにした燃焼装置を提供するものである。【解決手段】給油タンク内の残油量を検知する残油センサ３と、給油したくない時間帯を入力する給油拒否スイッチ２と、この給油拒否スイッチ２で設定された時間帯を記憶するマイコン１とを備えたもので、前記マイコン１は、給油拒否スイッチ２によって設定された、給油拒否の時間帯に給油が必要とならないように、予め給油時期を早めに警報したり、給油時期を遅らせるように燃油の使用量を減少させるようにしたので、使用者が予め給油したくない時間帯を設定しておくことで、器具側で自動的にその時間帯を避けるように火力調節するので、朝の忙しい時間帯や深夜や、或いはどうしても見たいテレビ番組の時間帯に給油作業をすることがなく、その他の給油可能な時間帯に余裕を持って給油出来、使用者の意図に合った給油が行え、極めて便利である。【選択図】  図３
2005061658.tif 000002
【特許請求の範囲】
【請求項１】
給油タンク内の残油量を検知する残油センサと、給油したくない時間帯を入力する給油拒否スイッチと、この給油拒否スイッチで設定された時間帯を記憶するマイコンとを備えたものに於いて、前記マイコンは、給油拒否スイッチによって設定された、給油拒否の時間帯に給油が必要とならないように、予め給油時期を早めに警報したり、給油時期を遅らせるように燃油の使用量を減少させるようにした事を特徴とする燃焼装置。
【請求項２】
前記給油拒否スイッチは、給油したくない曜日の設定も行えるようにした事を特徴とする請求項１記載の燃焼装置。
【請求項３】
前記マイコンは、学習機能を有し設定される給油拒否の曜日と時間帯で、設定回数の多い曜日と時間帯を自動的に優先するようにした事を特徴とする請求項２記載の燃焼装置。
【請求項４】
前記給油拒否の処理中を報知する報知手段を備えた事を特徴とする請求項１〜３記載の燃焼装置。
【発明の詳細な説明】
【技術分野】
【０００１】
この発明は給油を必要とする暖房器等の燃焼装置に関するものである。
【背景技術】
【０００２】
従来よりこの種の燃焼装置では、残油量を検知し所定量以下になることで、燃焼量を最低燃焼量に自動的に切替て、自動消火までの時間を出来るだけ長くしようとするものがある。（例えば、特許文献１参照。）
【特許文献１】実公平２−２７３２９号公報
【発明の開示】
【発明が解決しようとする課題】
【０００３】
ところでこの従来のものでは、燃油量が減少することで自動的に最低燃焼量での燃焼に切替わり、自動消火までの時間を長くするもので、使用者の意図には従っておらず、器具側の事情で給油を強いられるものであり、例えば朝の忙しい時間帯や深夜や、どうしても見たいテレビ番組の時間帯だけは、給油作業をしたくないと言う使用者側の事情を考慮することが出来ないものであった。
【課題を解決するための手段】
【０００４】
この発明はこの点に着目し上記問題点を解決する為、特にその構成を、給油タンク内の残油量を検知する残油センサと、給油したくない時間帯を入力する給油拒否スイッチと、この給油拒否スイッチで設定された時間帯を記憶するマイコンとを備えたものに於いて、前記マイコンは、給油拒否スイッチによって設定された、給油拒否の時間帯に給油が必要とならないように、予め給油時期を早めに警報したり、給油時期を遅らせるように燃油の使用量を減少させるようにしたものである。
【０００５】
又前記給油拒否スイッチは、給油したくない曜日の設定も行えるようにしたものである。
【０００６】
又前記マイコンは、学習機能を有し設定される給油拒否の曜日と時間帯を、所定期間中カウントし、設定の多い曜日と時間帯を自動的に優先するようにしたものである。
【０００７】
又前記給油拒否の処理中を報知する報知手段を備えたものである。
【発明の効果】
【０００８】
この発明によれば、使用者が予め給油したくない時間帯を設定しておくことで、器具側で自動的にその時間帯を避けるように調節されるので、朝の忙しい時間帯や深夜や、或いはどうしても見たいテレビ番組の時間帯に給油作業をすることがなく、その他の給油可能な時間帯に余裕を持って給油出来、使用者の意図に合った給油が行え、極めて便利であり使用勝手も良いものである。
【０００９】
更に給油したくない曜日の設定も行えるようにすれば、予め来客予定が分かっている時には、前もってその時間帯を回避出来極めて便利であり、安心して接客出来るものである。
【００１０】
更に学習機能で設定の多い曜日と時間帯を自動的に優先するようにすれば、使用者の生活パターンに合わせた給油が可能となり、優先決定後は給油拒否の設定が不用となり極めて使用勝手が良いものである。
【００１１】
更に給油拒否の処理中を報知する報知手段を備えることで、給油時期ではあるが延命処置が講じられていることを使用者自身が認識出来、給油に対する心や器具の準備が行え、納得した心理状態で給油が出来るものである。
【発明を実施するための最良の形態】
【００１２】
次にこの発明の一実施形態を図面に基づいて説明する。
１は比較、演算、記憶、カレンダー機能等を有したマイコンで、入力側には朝の何時から何時、夜の何時から何時、何曜日の何時から何時と給油拒否時間帯の設定が可能な給油拒否スイッチ２が接続されると共に、カートリッジ式の給油タンク（図示せず）の重量を計測することで残油量を検知する残油センサ３が接続されており、又各種の操作スイッチ（図示せず）を備えた操作部４及び給油拒否の処理中をランプの点灯で報知する報知手段５と各種表示を行う表示部６も接続されている。
【００１３】
次に図２の給油拒否の時間帯設定のフローチャートを説明すれば、ステップ７で給油タンク内の油量が空で給油を促す給油サインを出したかを判断し、ＹＥＳでステップ８に進み給油を行い、給油タンクが満量に成って器具にセットされたかを残油センサ３で検知して、ＹＥＳでステップ９に進み満量チェックが初回かを判断し、ＹＥＳでステップ１０に進んで給油タンクセットからｔ秒以内かを判断して、ＹＥＳでステップ１１に進んで給油拒否スイッチ２が押されたかを判断し、ＹＥＳでステップ１２に進んで給油拒否の曜日と時間帯の登録を行うと共に、この登録の多い上位時間帯を給油拒否の時間帯としてとうろくするものである。
【００１４】
次に図３の給油拒否の時間帯設定後の暖房器運転をフローチャートで説明すれば、先ずステップ１３で運転スイッチをＯＮすることで、ステップ１４に進み設定温度、現在温度に応じた通常運転が行われ、そしてステップ１５で残油センサ３による残油量検知で残油量が一定量Ｌに達すると、ＹＥＳでステップ１６で現在時間と一定量Ｌの燃焼の残時間を加算して、給油の表示時間を計算した後、ステップ１７に進みこのまま運転すると給油拒否時間帯で燃油が切れる恐れがあるか判断し、ＮＯではステップ１８でランプ点灯の第一の給油警報を出し、通常運転を継続するものである。
【００１５】
更にステップ１７でＹＥＳではステップ１９に進み今は、給油拒否時間帯かを判断し、ＮＯではステップ２０に進んで第一給油警報の他にブザーによる第二給油警報をして、早めの給油を促すと同時に、現在火力に応じた燃焼時間も表示部６に表示させる。
一方ステップ１９で給油拒否時間帯では、ＹＥＳでステップ２１に進み現在火力及び給油拒否時間帯の長さ等から、必要に応じて火力を下げて燃油の使用量を減少させて、拒否時間帯中の給油を阻止すると共に、報知手段５により給油拒否時間帯で処理が行われていることを報知させるものである。
【００１６】
これにより、使用者が予め給油したくない時間帯を設定しておくことで、器具側で自動的にその時間帯を避けるように火力調節するので、朝の忙しい時間帯や深夜や、或いはどうしても見たいテレビ番組の時間帯に給油作業をすることがなく、その他の給油可能な時間帯に余裕を持って給油出来、使用者の意図に合った給油が行え、極めて便利であり使用勝手も良いものである。
【００１７】
更に給油したくない曜日の設定も行えるので、予め来客予定が分かっている時には、前もってその時間帯を回避出来極めて便利であり、安心して接客出来るものである。
【００１８】
更に学習機能で設定の多い曜日と時間帯を自動的に優先するので、使用者の生活パターンに合わせた給油が可能となり、優先決定後は給油拒否の設定が不用となり極めて使用勝手が良いものである。
【００１９】
更に給油拒否の処理中を報知する報知手段を備えることで、給油時期ではあるが延命処置が講じられていることを使用者自身が認識出来、給油に対する心や器具の準備が行え、納得した心理状態で給油が出来るものである。
【図面の簡単な説明】
【００２０】
【図１】この発明の一実施形態を示す燃焼装置の電気回路の要部ブロック図。
【図２】同給油拒否時間帯設定のフローチャート。
【図３】同作動状態のフローチャート。
【符号の説明】
【００２１】
１  マイコン
２  給油拒否スイッチ
３  残油センサ
５  報知手段
【図１】
2005061658.tif 000003
【図２】
2005061658.tif 000004
【図３】
2005061658.tif 000005